(57)【要約】      本発明は、１つ以上の実質的に水平なもしくは傾いた座部（Ｏ）または支持面、および／または１つ以上の実質的に垂直なもしくは傾いた背もたれ（Ｖ）を備えた新規な座席システムであって、直角二等辺三角形の形状の対向する平行ベース表面（Ｔｉ）を備えた８個のプリズムモジュール式エレメントまたはモジュール（Ｔｉ）を備え、各モジュール（Ｔｉ）が、１つのコーナ（Ｔ４）のレベルで少なくとも１個の隣のモジュール（Ｔｉ）に接合され、そして、各モジュール（Ｔｉ）が、それが接合されるモジュール（Ｔｉ）に対して前記接続コーナ（Ｔ４）のまわりを回転するシステム、である。【選択図】  図４
2011527925.tif 000002
【特許請求の範囲】
【請求項１】
１つ以上の実質的に水平なもしくは傾いた座部（Ｏ）または支持面、および／または１つ以上の実質的に垂直なもしくは傾いた背もたれ（Ｖ）を備えた座席システムであって、それが、直角二等辺三角形の形状の対向する平行ベース表面（Ｔｉ）を備えた８個のプリズムモジュール式エレメントまたはモジュール（Ｔｉ）であって、各々が、１つのコーナ（Ｔ４）のレベルで少なくとも１個の隣のモジュール（Ｔｉ）に接合されるモジュール（Ｔｉ）、を備え、そして、各モジュール（Ｔｉ）が、それが接合される前記モジュール（Ｔｉ）に対して、前記接続コーナ（Ｔ４）のまわりを回転する、ことを特徴とする座席システム。
【請求項２】
請求項１に記載の座席システムであって、前記モジュール（Ｔｉ）のそれぞれが、２個の隣のモジュール（Ｔｉ）に接合され、実質的に環形状の構造体を形成することを特徴とする座席システム。
【請求項３】
請求項１、２に記載の座席システムであって、第１のモジュール（Ｔａ）が、プリズムの横方向の表面領域のコーナ（Ｔ４）に沿って、第２の隣のモジュール（Ｔｂ）に接合され、前記第２のモジュール（Ｔｂ）が、ベース表面（Ｔ１）のより短い側の１つに対応するコーナ（Ｔ４）に沿って第３のモジュール（Ｔｃ）に接合され、前記第３のモジュール（Ｔｃ）が、ベース表面（Ｔ１）の斜辺に対応するコーナ（Ｔ４）に沿って第４のモジュール（Ｔｄ）に接合され、前記第４のモジュール（Ｔｄ）が、ベース表面（Ｔ１）のより短い側の１つに対応するコーナ（Ｔ４）に沿って第５のモジュール（Ｔｅ）に接合され、前記第５のモジュール（Ｔｅ）が、プリズムの横方向の表面領域のコーナ（Ｔ４）に沿って第６のモジュール（Ｔｆ）に接合され、前記第６のモジュール（Ｔｆ）が、ベース表面（Ｔ１）のより短い側の１つに対応するコーナ（Ｔ４）に沿って第７のモジュール（Ｔｇ）に接合され、前記第７のモジュール（Ｔｇ）が、ベース表面（Ｔ１）の斜辺に対応するコーナ（Ｔ４）に沿って第８のモジュール（Ｔｈ）に接合され、および、前記第８のモジュール（Ｔｈ）が、ベース表面（Ｔ１）のより短い側の１つに対応するコーナ（Ｔ４）に沿って前記第１のモジュール（Ｔａ）に接合される、ことを特徴とする座席システム。
【請求項４】
請求項１、２に記載の座席システムであって、第１のモジュール（Ｔａ）が、プリズムの横方向の表面領域のコーナ（Ｔ４）に沿って反時計回りの方向に第２の隣のモジュール（Ｔｂ）に接合され、前記第２のモジュール（Ｔｂ）が、ベース表面（Ｔ１）のより短い側の１つに対応するコーナ（Ｔ４）に沿って第３のモジュール（Ｔｃ）に接合され、前記第３のモジュール（Ｔｃ）が、プリズムの横方向の表面領域のコーナ（Ｔ４）に沿って第４のモジュール（Ｔｄ）に接合され、前記第４のモジュール（Ｔｄ）が、ベース表面（Ｔ１）のより短い側の１つに対応するコーナ（Ｔ４）に沿って第５のモジュール（Ｔｅ）に接合され、前記第５のモジュール（Ｔｅ）が、プリズムの横方向の表面領域のコーナ（Ｔ４）に沿って第６のモジュール（Ｔｆ）に接合され、前記第６のモジュール（Ｔｆ）が、ベース表面（Ｔ１）のより短い側の１つに対応するコーナ（Ｔ４）に沿って第７のモジュール（Ｔｇ）に接合され、前記第７のモジュール（Ｔｇ）が、プリズムの横方向の表面領域のコーナ（Ｔ４）に沿って第８のモジュール（Ｔｈ）に接合され、および、前記第８のモジュール（Ｔｈ）が、ベース表面（Ｔ１）のより短い側の１つに対応するコーナ（Ｔ４）に沿って前記第１のモジュール（Ｔａ）に接合される、ことを特徴とする座席システム。
【請求項５】
請求項１、２、３、４に記載の座席システムであって、前記モジュール（Ｔｉ）のそれぞれが、布張りをしていて、かつ柔らかい材料で作られる、および／または覆われる、プリズムボディ（Ｔ２）を備える、ことを特徴とする座席システム。
【請求項６】
請求項１、２、３、４、５に記載の座席システムであって、前記モジュール（Ｔｉ）のそれぞれが、カバー布（Ｔ３）で覆われている、ことを特徴とする座席システム。
【請求項７】
請求項１、２、３、４、５、６に記載の座席システムであって、前記モジュール（Ｔｉ）の接続が、前記接続コーナ（Ｔ４）に沿って縫い付けられる、前記モジュール（Ｔｉ）の全部または一部に対して単一のカバー布（Ｔ３）を使用して得られる、ことを特徴とする座席システム。
【請求項８】
請求項１、２、３、４、５、６に記載の座席システムであって、前記モジュール（Ｔｉ）の接続が、前記接続コーナ（Ｔ４）に沿って各モジュール（Ｔｉ）のカバー布（Ｔ３）を縫い付けることによって、および／または１つ以上のジッパーおよび／またはベルクロストラップおよび／または前記モジュール（Ｔｉ）を着脱自在に接合するための他の手段を用いて、得られる、ことを特徴とする座席システム。
【請求項９】
請求項１、２、３、４、５、６、７、８に記載の座席システムであって、前記プリズムモジュール（Ｔｉ）のそれぞれの高さが、ベース表面（Ｔ１）の斜辺の二倍と等しい、ことを特徴とする座席システム。
【請求項１０】
請求項１、２、３、４、５、６、７、８、９に記載の座席システムであって、それが、異なる寸法の２個以上のモジュール（Ｔｉ）を備え、そこで、１個のモジュール（Ｔｉ）のより短い側の１つの長さが別のモジュール（Ｔｉ）の斜辺の長さと等しい、ことを特徴とする座席システム。
【発明の詳細な説明】
【技術分野】
【０００１】
本発明は座席分野に関し、および、特に、それはさまざまな方法で組み立てられることができる新規なモジュール式座席システムに関する。
【背景技術】
【０００２】
１つ以上の座部を備えた、布張りしたまたはしていない、様々なタイプの座席システムが公知である。
【０００３】
実質的に水平な支持面を備えた１つ以上の座部および実質的に垂直な支持面を備えた少なくとも１つの背もたれを備える、布張りをした座席システムまたはソファーが公知である。
【０００４】
その背もたれが座部に対して傾いていることができる座席システムまたはソファーが公知であり、その座部および背もたれが折りたたまれることができて、マットレスとして機能する実質的に水平な平面を形成するような方法で、お互いに対して摺動することができる、ソファベッドもまた公知である。
【０００５】
布張りをしたソファーまたは座部を構成する布張りをしたエレメントは通常、さまざまなタイプの布または革のカバーを備え、例えば木または金属でできている補強芯の有無にかかわらず、柔らかい材料、一般的にフォームラバーでできているボディを備える。
【０００６】
地面に置くための１本以上の脚または足、実質的に水平な座部および必要に応じて堅いまたはリクライニングさせることのできる方法で前記座部に接続される実質的に垂直な背もたれを備えた、座部、スツールまたはベンチのような、布張りをしてない座席システムが公知である。
【０００７】
また、座部の側部に配置される１つ以上の肘掛けを備える座部またはベンチが、公知である。
【０００８】
前記座部および前記背もたれは、布張りをしたもしくはしてない、堅い材料、例えばプラスチック、木もしくは金属で、または、座部もしくはベンチのフレームを構成する堅いロッドの間に引き伸ばされた布の類の堅くない材料で、できていることができる。
【０００９】
通常立方体、平行六面体または円柱の形状の、その上に着座するかまたはさらに一般的にいえば載せるためのエレメントもまた公知であり、足の有無にかかわらず、地面に載せられる下部表面および一般に座部、足載せ台または支持面として機能することができる反対側の上側表面を備えている。
【００１０】
前記座席エレメントは、布張りをしたまたはしてないことができる。
【発明の概要】
【発明が解決しようとする課題】
【００１１】
本発明の目的は、布張りをしているまたはしてないことができて、複数の異なる三次元構成を作り出すためにさまざまな方法で組み立てられることができる、新型の座席システムである。
【００１２】
本発明の主要な目的は、座席システムのさまざまな異なる三次元構成を得るような方法で、利用可能空間内に座席システムを構成するエレメントの即時の組換えを可能にすることである。
【００１３】
本発明の別の目的は、その全体寸法を最小にするような方法で、コンパクトな形状、例えば立方体または平行六面体で構成されることができる座席システムを提供することである。
【００１４】
本発明は特に、しかし限定することなく、それが家具の部材、座席システムとしておよびゲームとしてさえ使われることができるので、子供によって、または保育所および遊戯センターなどのような、多くの子供がいる場所で、使われることに適している。
【００１５】
本発明は、また、それが同じまたは異なる寸法を有する、同じタイプの他の座席システムと組み合わせられることができるので、一般に部屋に家具を備えるために使われることに特に適している。
【課題を解決するための手段】
【００１６】
さまざまな方法で組み立てられることができる新規な座席システムは、その主要部に、直角二等辺三角形の形状のベース表面を備えた、プリズムの形状の８個のモジュール式エレメントまたはモジュールを備え、各モジュールがコーナのレベルで少なくとも１個の隣のモジュールに接続され、そして、各モジュールが、それが２個のモジュールを接合するコーナに位置する軸のまわりに接続されるモジュールに対して回転する。
【００１７】
好ましい解決策において、実質的に環状の構造体を形成するような方法で、前記モジュールのそれぞれが２個の隣のモジュールに接合される。
【００１８】
この新規な座席システムは、隣のものに対してモジュールを単に回転させることによって、複数の異なる構成で組み立てられ、したがって、ここで以下に記載されているように、さまざまな形状の座席システムを作り出すことができる。
【００１９】
この新規な座席システムは、わずかな空間を占めて、したがって、整然と格納されることができる全体的に立方体のまたは平行六面体形状を備えた、非常にコンパクトな構成、または１つ以上の座部、１つ以上の背もたれおよび／または１つ以上の肘掛けを備えているより複雑な構成、を形成するような方法で、構成されることができる。
【００２０】
本発明によれば、新規な座席システムは部分的にまたは好ましくは全面的に柔らかい材料でできていることができるか、または布張りをしていることができる。本発明の好ましい実施態様によれば、前記モジュールのそれぞれは布張りをしていて、柔らかい材料、例えば天然または合成の布の、布カバーを備えている、例えばフォームラバーでできているプリズム状のボディを備え、そして、モジュールが一対ずつ、例えば単一片のカバー布を用いて、または接続コーナに沿ってカバーの縁部を縫い付けることによって、接合される。
【００２１】
本発明によれば、それらが分離されて、次いで再び接合されることができるために、モジュールはジッパーまたはベルクロストラップを用いてもまたお互いに接合されることができる。
【００２２】
より複雑な構成を作り出すために前記新規な座席システムのうちの２つ以上を組み合わせることもまた、可能であり、前記座席システムが、同じまたは異なる寸法を有することができる。
【図面の簡単な説明】
【００２３】
限定されない例として添付される図面を参照して、新規な座席システムの特性が以下の記述において更に詳細に強調される。
【００２４】
【図１】新規なモジュール式座席システムの単一のモジュール（Ｔｉ）を概略的に示す。一方、
【図２】１つの可能な実施態様に従う１つの新規な座席システムの可能な構成の２つの例を示す。
【図３】１つの可能な実施態様に従う１つの新規な座席システムの可能な構成の２つの例を示す。
【図４】本発明の1つの更なる可能な実施態様に従って実施される１つの座席システムを示し、ここで、モジュール（Ｔａ−Ｔｈ）が異なる方法で互いに接合される。連続した
【図５】新規な座席システムの１４の可能な構成を示す。
【図６】新規な座席システムの１４の可能な構成を示す。
【図７】新規な座席システムの１４の可能な構成を示す。
【図８】新規な座席システムの１４の可能な構成を示す。
【図９】新規な座席システムの１４の可能な構成を示す。
【図１０】新規な座席システムの１４の可能な構成を示す。
【図１１】新規な座席システムの１４の可能な構成を示す。
【図１２】新規な座席システムの１４の可能な構成を示す。
【図１３】新規な座席システムの１４の可能な構成を示す。
【図１４】新規な座席システムの１４の可能な構成を示す。
【図１５】新規な座席システムの１４の可能な構成を示す。
【図１６】新規な座席システムの１４の可能な構成を示す。
【図１７】新規な座席システムの１４の可能な構成を示す。
【図１８】新規な座席システムの１４の可能な構成を示す。一方、
【図１９】２つの座席システムを組み合わせることによって得られる可能な構成を示す。
【図２０】２つの座席システムを組み合わせることによって得られる可能な構成を示す。
【図２１】２つの座席システムを組み合わせることによって得られる可能な構成を示す。
【図２２】２つの座席システムを組み合わせることによって得られる可能な構成を示す。
【図２３】２つの座席システムを組み合わせることによって得られる可能な構成を示す。
【図２４】２つの座席システムを組み合わせることによって得られる可能な構成を示す。
【図２５】２つの座席システムを組み合わせることによって得られる可能な構成を示す。
【図２６】２つの座席システムを組み合わせることによって得られる可能な構成を示す。
【発明を実施するための形態】
【００２５】
図内に概略的に示される本発明の好ましい実施態様において、新規なモジュール式座席システムは８個の一般的にプリズム形状、好ましくは、直角二等辺三角形の形状のベース表面（Ｔ１）を備えたプリズム形状のモジュール（Ｔｉ）を備える。
【００２６】
本発明によれば、前記プリズムモジュール（Ｔｉ）のそれぞれの高さはベース表面（Ｔ１）の斜辺の二倍と等しい。
【００２７】
前記モジュール（Ｔｉ）のそれぞれは、好ましくは布張りをしていて、天然または合成の布カバー（Ｔ３）を備えた柔らかい材料、例えばフォームラバーでできているプリズムボディ（Ｔ２）を備える。
【００２８】
各モジュール（Ｔｉ）はコーナ（Ｔ４）のレベルで隣のモジュールに接合され、および、各モジュール（Ｔｉ）が、それが２個のモジュールを接合するコーナ（Ｔ４）に位置している軸（Ｔｘ）のまわりに接合されるモジュールに対して回転する。
【００２９】
本願明細書に示される例では、前記モジュール（Ｔａ−Ｔｈ）は実質的に環状の構造体を形成するためにコーナ（Ｔ４）のレベルで、対で接合される。
【００３０】
特に、図２および３に示すように、第１のモジュール（Ｔａ）が、プリズムの横方向の表面領域のコーナ（Ｔ４）に沿って反時計回りの方向に、第２の隣のモジュール（Ｔｂ）に接合され、前記第２のモジュール（Ｔｂ）が、ベース表面（Ｔ１）のより短い側の１つに対応するコーナ（Ｔ４）に沿って第３のモジュール（Ｔｃ）に接合され、前記第３のモジュール（Ｔｃ）が、ベース表面（Ｔ１）の斜辺に対応するコーナ（Ｔ４）に沿って第４のモジュール（Ｔｄ）に接合され、前記第４のモジュール（Ｔｄ）が、ベース表面（Ｔ１）のより短い側の１つに対応するコーナ（Ｔ４）に沿って第５のモジュール（Ｔｅ）に接合され、前記第５のモジュール（Ｔｅ）が、プリズムの横方向の表面領域のコーナ（Ｔ４）に沿って第６のモジュール（Ｔｆ）に接合され、前記第６のモジュール（Ｔｆ）が、ベース表面（Ｔ１）のより短い側の１つに対応するコーナ（Ｔ４）に沿って第７のモジュール（Ｔｇ）に接合され、前記第７のモジュール（Ｔｇ）が、ベース表面（Ｔ１）の斜辺に対応するコーナ（Ｔ４）に沿って第８のモジュール（Ｔｈ）に接合され、および、前記第８のモジュール（Ｔｈ）が、ベース表面（Ｔ１）のより短い側の１つに対応するコーナ（Ｔ４）に沿って前記第１のモジュール（Ｔａ）に接合される。
【００３１】
新規な座席システムはしたがって、対応する接続コーナ（Ｔ４）に位置している軸（Ｔｘ）のまわりに隣の1つに対してモジュール（Ｔｉ）を単に回転させることによって、複数の異なる構成で組み立てられ、およびしたがって、さまざまな形状を有する座席システムを作り出すことができる。
【００３２】
この新規な座席システムは、その計画寸法が正方形の表面積に一致する（図１２）、その表面積がモジュール（Ｔｉ）の２つの三角形ベース表面（Ｔ１）の表面積の合計に等しい、または、その計画寸法が、並んで配置される４つの正方形の表面積に一致する（図１４）または、その計画寸法が、並んで配置される２つの正方形の表面積に一致する（図９、１０）、または、その計画寸法が正方形の表面積に一致する（図１１）、その表面積がモジュール（Ｔｉ）の４つの三角形ベース表面（Ｔ１）の表面積の合計に等しい、図９、１０、１１、１２、１４に示すように、平行六面体形状の、非常にコンパクトな構成を作り出すような方法で、組み立てられることができる。
【００３３】
前記コンパクトな構成は１つ以上の座部（Ｏ）、すなわち実質的に水平な支持面を備えた、しかし背もたれ（Ｖ）または肘掛け（Ｂ）なしの座席システムを作り出す。
【００３４】
新規な座席システムはまた、三角形断面（図１５）または鏡面配置される２つの三角形から成る断面（図１６、１７、１８）を備えた、全体としてプリズム形状の構成を形成するような方法で、組み立てられることができる。
【００３５】
前記構成は、地面に対して４５度で傾いた座部（Ｏ）および／または背もたれ（Ｖ）を備えた座席システムを作り出す。
【００３６】
新規な座席システムはまた、例えばお互いに対して９０度で傾いた三角形ベース表面を備えた３個のプリズムからなる対称の形状の、より複雑な構成（図４、図１３）を形成するような方法で、組み立てられることができ、ここで、並んで配置される２個のモジュール（Ｔａ、Ｔｂ）および（Ｔｅ、Ｔｆ）から得られる横方向のプリズムの、水平に配置されるベース表面（Ｔ１）が座部（Ｏ）として機能し、一方、鏡面配置される２対の隣接したモジュール（Ｔｃ、Ｔｄ）および（Ｔｇ、Ｔｈ）から得られる中央プリズムの垂直に配置されるベース表面（Ｔ１）が、２つの横方向の座部（Ｏ）のそれぞれに対して中央の背もたれ（Ｖ）として機能する。
【００３７】
図５および６に示すように、新規な座席システムは水平に配置されるモジュールのベース表面（Ｔ１）から得られる１つ以上の座部（Ｏ）および垂直に配置されるモジュールの横方向の壁（Ｔ５）から得られる１つ以上の背もたれ（Ｖ）を備えることができる。
【００３８】
図７および８に示すように、新規な座席システムは、１つ以上の座部（Ｏ）が水平に配置されるベース表面（Ｔ１）から、またはそれらが地面に対して４５度で傾いているように配置される横方向の壁（Ｔ５）から得られ、一方１つ以上の背もたれ（Ｖ）が垂直に配置されるベース表面（Ｔ１）から、または垂直に配置される横方向の壁（Ｔ５）から得られる、構成を想定することができる。
【００３９】
前記構成から得られる座席システムは、また、肘掛け（Ｂ）として機能する横方向のエレメントを備える。
【００４０】
本発明によれば、図１９−２６に示すように、さらにより複雑な構成を作り出すために、前記新規な座席システムのうちの２つ以上を組み合わせることもまた可能であり、ここで、得られた最終的な構成（図２０、２２、２４、２５、２６）がいくつかの座部（Ｏ）およびいくつかの背もたれ（Ｖ）を有する。
【００４１】
図４内に概略的に示される更なる可能な解決策によれば、前記新規な座席システムが、プリズムの横方向の表面領域のコーナ（Ｔ４）に沿って反時計回りの方向に、第２の隣のモジュール（Ｔｂ）に接合される第１のモジュール（Ｔａ）を備え、前記第２のモジュール（Ｔｂ）が、ベース表面（Ｔ１）のより短い側の１つに対応するコーナ（Ｔ４）に沿って第３のモジュール（Ｔｃ）に接合され、前記第３のモジュール（Ｔｃ）が、プリズムの横方向の表面領域のコーナ（Ｔ４）に沿って第４のモジュール（Ｔｄ）に接合され、前記第４のモジュール（Ｔｄ）が、ベース表面（Ｔ１）のより短い側の１つに対応するコーナ（Ｔ４）に沿って第５のモジュール（Ｔｅ）に接合され、前記第５のモジュール（Ｔｅ）が、プリズムの横方向の表面領域のコーナ（Ｔ４）に沿って第６のモジュール（Ｔｆ）に接合され、前記第６のモジュール（Ｔｆ）が、ベース表面（Ｔ１）のより短い側の１つに対応するコーナ（Ｔ４）に沿って第７のモジュール（Ｔｇ）に接合され、前記第７のモジュール（Ｔｇ）が、プリズムの横方向の表面領域のコーナ（Ｔ４）に沿って第８のモジュール（Ｔｈ）に接合され、および前記第８のモジュール（Ｔｈ）が、ベース表面（Ｔ１）のより短い側の１つに対応するコーナ（Ｔ４）に沿って前記第１のモジュール（Ｔａ）に接合される。
【００４２】
また、この場合、複数の構成を作り出すことが可能であり、および、前記座席システムはまた、例えば前述したように、さまざまな形状および寸法を有する複雑な座席システムを作り出すために、異なる方法で組み立てられる座席システムと組み合わせられることもできる。
【００４３】
第２の座席システムのモジュール（Ｔｉ）の寸法と異なる座席システムのモジュール（Ｔｉ）の寸法を備えた、前記座席システムのうちの２つ以上を組み合わせることもまた可能である。
【００４４】
例えば、座席システムのモジュール（Ｔｉ）のベース表面のより短い側の長さは第２の座席システムのモジュール（Ｔｉ）のベース表面の斜辺の長さと等しくすることができ、したがって、同じ比率を維持することができる。
【００４５】
さらに、常に本発明によれば、前記モジュール（Ｔｉ）はジッパーおよび／またはベルクロストラップおよび／または座席システムが分解されて、それから異なる寸法を有するモジュールとさえ再組立てされることを可能にする他の手段を用いて接合されることができる。
【００４６】
したがって、上記の説明および添付の図面を参照して、以下の請求項が表明される。
【符号の説明】
【００４７】
Ｂ  肘掛け
Ｏ  座部
Ｔ１  ベース表面
Ｔ２  プリズムボディ
Ｔ３  布カバー
Ｔ４  コーナ
Ｔ５  横方向の壁
Ｔａ−Ｔｈ  モジュール
Ｔｉ  プリズムモジュール
Ｔｘ  軸
Ｖ  背もたれ
【図１】
2011527925.tif 000003
【図２】
2011527925.tif 000004
【図３】
2011527925.tif 000005
【図４】
2011527925.tif 000006
【図５】
2011527925.tif 000007
【図６】
2011527925.tif 000008
【図７】
2011527925.tif 000009
【図８】
2011527925.tif 000010
【図９】
2011527925.tif 000011
【図１０】
2011527925.tif 000012
【図１１】
2011527925.tif 000013
【図１２】
2011527925.tif 000014
【図１３】
2011527925.tif 000015
【図１４】
2011527925.tif 000016
【図１５】
2011527925.tif 000017
【図１６】
2011527925.tif 000018
【図１７】
2011527925.tif 000019
【図１８】
2011527925.tif 000020
【図１９】
2011527925.tif 000021
【図２０】
2011527925.tif 000022
【図２１】
2011527925.tif 000023
【図２２】
2011527925.tif 000024
【図２３】
2011527925.tif 000025
【図２４】
2011527925.tif 000026
【図２５】
2011527925.tif 000027
【図２６】
2011527925.tif 000028
【国際調査報告】
2011527925.tif 000029
2011527925.tif 000030